(57)【要約】【課題】  動物に対し、安全でかつ十分なリハビリテーション効果、遊泳練習、健康増進を図ることができる動物用プールを提供する。【解決手段】  床面に円形又は楕円形に凹設された水路槽２と、この水路槽２内に向けて流水を発生させる流水発生装置３と、前記水路槽２内の外側壁２ａに流水方向に向かって漸次下がる入口用スロープ４と、前記水路槽２内の外側壁２ａに流水方向に向かって漸次上がる出口用スロープ５とを備える。また出口用スロープ５の下流側近傍に、水流を妨げない程度に水路槽２を閉状態にする開閉手段６を備える。これにより、動物に対し、安全でかつ十分なリハビリテーション効果、遊泳練習、健康増進を図ることができる。【選択図】  図１
2007275319.tif 000002
【特許請求の範囲】
【請求項１】
ほぼ円形又はほぼ楕円形に形成された水路槽と、この水路槽内の外側壁に沿って一方向に流れる流水を発生させる流水発生装置と、前記水路槽内の外側壁に沿ってかつ流水方向に漸次下がる入口用スロープを備えると共に、前記水路槽内の外側壁に沿ってかつ流水方向に漸次上がる出口用スロープとを備えたことを特徴とする動物用プール。
【請求項２】
出口用スロープの下流側近傍に、水流を妨げない程度に水路槽を閉状態にする開閉手段を備えた請求項１記載の動物用プール。
【請求項３】
入口用スロープに重量センサ又は光センサを備え、前記センサに応じて開閉手段が作動する請求項２記載の動物用プール。
【請求項４】
入口用スロープから出口用スロープの間の水路槽に光センサを備え、前記センサに応じて開閉手段が作動する請求項２又は請求項３に記載の動物用プール。
【請求項５】
入口用スロープの入口および出口用スロープの出口を除く、水路槽の外側壁側の床面に、動物の侵入を防ぐ遮蔽手段を設けた請求項１〜請求項４のいずれかに記載の動物用プール。
【請求項６】
水路槽の底の一部または全部に昇降可能な底板を備えた請求項１〜請求項５のいずれかに記載の動物用プール。
【発明の詳細な説明】
【技術分野】
【０００１】
本発明は、動物用プールに関し、特に回流式動物用プールに関するものである。
【背景技術】
【０００２】
従来より、回流式のプールは種々提案されている。そして、プール内において、歩行訓練や水泳を行いながらリハビリテーションを行う方法が存在していた。
【０００３】
このようなプールの一例として、プールの外周に沿って回流を形成するために、プール内の水に対して同一方向の運動エネルギーを付与する回流発生装置、前記プール内に発生した回流に入って行くためのスタート入口、前記プール内の回流の内側において、プールの床をゆるやかな山形に形成して歩行帯を形成すると共にこの歩行帯の両側に沿って手すりを配置して成る歩行訓練セクション、前記プール内の回流の内側において、プールの床をゆるやかな谷形に形成して懸垂帯を形成すると共にこの懸垂帯の上方に懸垂バーを配置して成る懸垂訓練セクション、から成る回流式リハビリテーションプールがあった。
【０００４】
そして、この回流式リハビリテーションプールは、プール内の回流を利用して、水の負荷を自由に選択しながらリハビリテーションを行うことができるという効果を有するものであった。
（特許文献１参照。）。
【特許文献１】特開平７−２５９３６３号公報
【発明の開示】
【発明が解決しようとする課題】
【０００５】
しかしながら、上記特許文献１記載の回流式プールでは、人が利用するためのプールであって、動物が利用するのに適したものではなかった。具体的には、犬や猫などの動物は、勝手にプールに入ったり、また反対に勝手にプールから出たりするため、十分なリハビリテーション効果を得ることができないという問題点があった。また従来のプールでは、リハビリテーションに限らず、上記同様の理由により、健全な動物の遊泳練習や動物健康増進のためのプールとしても適さないという問題点があった。
【０００６】
さらには、勝手に出入りできることから安全性にも問題点があった。
【０００７】
本発明は、上記問題点に鑑み、動物に対し、安全でかつ十分なリハビリテーション効果、遊泳練習、健康増進を図ることができる動物用プールを提供することを目的とする。
【課題を解決するための手段】
【０００８】
本発明は上記目的を達成するため、ほぼ円形又はほぼ楕円形に形成された水路槽と、この水路槽内の外側壁に沿って一方向に流れる流水を発生させる流水発生装置と、前記水路槽内の外側壁に沿ってかつ流水方向に漸次下がる入口用スロープを備えると共に、前記水路槽内の外側壁に沿ってかつ流水方向に漸次上がる出口用スロープとを備えたことを特徴とする。
【０００９】
本発明によれば、動物が水路槽に入ると、その流水による遠心力で動物は水路槽内の外側壁に押され、そのまま出口用スロープに導かれることから、突拍子もない行動をとる動物であっても安全にリハビリテーション効果、遊泳練習、健康増進を図ることができる。
【００１０】
また、出口用スロープの下流側近傍に、水流を妨げない程度に水路槽を閉状態にする開閉手段を備えると、確実に動物を出口用スロープに導くことができ、さらに、その開閉手段について、入口用スロープに重量センサ又は光センサを備え、前記センサに応じて開閉手段を作動させたり、また入口用スロープから出口用スロープの間の水路槽に光センサを備え、前記センサに応じて開閉手段を作動させると好適である。
【００１１】
また、入口用スロープの入口および出口用スロープの出口を除く、水路槽の外側壁側の床面に、動物の侵入を防ぐ遮蔽手段（いわゆる柵）を設けると良い。
【００１２】
また、水路槽の底の一部または全部に昇降可能な底板を備えるとより安全性を高めることができる。
【発明の効果】
【００１３】
本発明によれば、動物に対し、安全でかつ十分なリハビリテーション効果、遊泳練習、健康増進を図ることができる動物用プールを提供することができる。
【発明を実施するための最良の形態】
【００１４】
以下に本発明の実施形態を図１〜図６に基づいて詳細に説明する。
【００１５】
本発明の実施形態について、図１〜図５に基づいて説明する。図１は本実施形態の動物用プールを示す平面図であり、図２は図１の開閉手段を示す斜視図であり、図３は図１のＡ−Ａ断面図であり、図４は図１の底板を示す斜視図であり、図５は図１のＢ−Ｂ側面図である。なお、図６は他の実施形態の動物用プールを示す平面図である。
【００１６】
図１に示すように、本実施形態の動物用プール１は、コンクリート製の床面に円形に凹設された水路槽２と、この水路槽２内に向けて流水を発生させる流水発生装置３と、水路槽２内の外側壁２ａに流水方向に向かって漸次下がる入口用スロープ４と、水路槽２内の外側壁２ａに流水方向に向かって漸次上がる出口用スロープ５とを備え、さらに出口用スロープ５の下流側近傍に、水流を妨げない程度に水路槽２を閉状態にする開閉手段６（図２参照。）を備えた構成をしている。また、入口用スロープ４に重量センサ７（光センサでも良い）を備え、入口用スロープ４から出口用スロープ５の間の水路槽２に光センサ８を備え、これらのセンサ７、８に応じて開閉手段６が作動する。また図１、図５に示すように、入口用スロープ４の入口および出口用スロープ５の出口を除く、水路槽２の外側壁側２ａの床面に、動物の侵入を防ぐ柵９（遮蔽手段）を設けている。そして、図３、図４に示すように、水路槽２の底の全部（一部でも良い。）に昇降可能な底板１０が備えられている。
【００１７】
前記水路槽２は、幅約１．２ｍ、深さ約１ｍ、直径約５ｍとなるように形成されている。また水路槽２内に供給された水の水深は約０．８ｍである。なお本実施形態を利用する動物が小型犬の場合水深を浅く設定すればよく、また大型犬の場合水深を深く設定すればよい。
【００１８】
前記流水発生装置３は、電動機によって羽部材を回転させて流水を発生させる等の従来から知られた装置を採用している。そして、この流水発生装置３により、水路槽２内の水を所定方向（時計回り）に流水を発生させるため、プールを利用する動物は、この流水に身を任せながら時計回りに泳ぐことになる。なお、流れに乗った動物は、回流の遠心力により外側壁２ａに押しやられるように流される。
【００１９】
前記入口用スロープ４は、図５に示すように、水路槽２内の外側壁２ａに流水方向に向かって漸次下がる形状であり、その入口付近に重量センサ７が設けられている。この重量センサ７は、動物用プール１内に動物が入っているか否かを判断するものであって、このセンサ７で動物を感知すると、開閉手段６（図２参照。）の開閉動を起こさせる。
【００２０】
前記出口用スロープ５は、水路槽２内の外側壁２ａに流水方向に向かって漸次上がる形状であって、動物用プール１内の流れに乗った動物を自動的に出口用スロープ５に導かれるものである。
【００２１】
そして、出口用スロープ５の下流側近傍の内側壁２ｂに、水流を妨げない程度に水路槽２を閉状態にする開閉手段６が回動自在に備えられている。この開閉手段６は、図２に示すように、基部６ａと複数の枝部６ｂと回動用の支持孔６ｃからなる櫛形状に形成されたものである。開閉手段６は図示しない駆動源により開閉動する。開閉手段６は上述のようにセンサ７、８に応じて作動する。そして、図１に示すように、開閉手段６が閉状態となることにより、動物用プール１内の動物をより確実に出口用スロープ５へ導くことができる。
【００２２】
前記底板１０は、図３、図４に示すように、水路槽２の底面とほぼ同一形状に形成された板であって、その大部分にメッシュが施されている。底板１０が上下動する際に、大部分がメッシュ状に形成されているため、水の抵抗を低減し、よりスムースに上下動することができる。底板１０は、図示しない駆動源により上下動する。この駆動源は油圧シリンダー（実開昭５５−１４３３４５号公報等参照。）などが好ましい。なお図に示す８は、光センサであって、入口用スロープ４から出口用スロープ５の間の水路槽２に備えられている。この光センサ８は開閉手段６を作動させるためのものである。
【００２３】
本実施形態の動物用プール１によれば、動物が水路槽２に入ると、その流水による遠心力で動物は水路槽２内の外側壁２ａに押され、そのまま出口用スロープ５に導かれることから、突拍子もない行動をとる動物であっても安全にリハビリテーション効果、遊泳練習、健康増進を図ることができる。さらに出口用スロープ５の下流側近傍に開閉手段６を備えているため、確実に動物を出口用スロープ５に導くことができ、さらに、その開閉手段６について、入口用スロープ４に備えた重量センサ７に応じて作動させたり、水路槽２の光センサ８に応じて作動させるため、安全性を確保することができる。また、水路槽２の底に昇降可能な底板１０を備えるとよりさらに安全性を高めることができる。
【００２４】
本実施形態において、センサ７、８に応じて開閉手段６を作動させる構成であったが、これに限らず流水発生装置３が作動する構成にしても良い。
【００２５】
また、水路槽２の形状について、図６に示すような楕円形に凹設しても良い。さらに、床面上に外壁および内壁を設けて、円形状又は楕円形状の水路槽２を形成しても良い。
【００２６】
また、水路槽２に、低周波、高周波、マイナスイオン、遠赤外線等を発生させる水質浄化装置を備えても良い。
【００２７】
また、図６に示すように、水路槽２にフィルター式浄水装置１２を設けても良い。このフィルター式浄水装置１２は、水路槽２の外側壁２ａに設けた吸水口１２ａより吸水し、フィルター式浄水装置１２で浄水した後、配水路１２ｂを通って流水発生装置３へ送り、流水発生装置３より水路槽２内へきれいな水を供給するものである。
【産業上の利用可能性】
【００２８】
本発明は、動物用プールに関し、特に回流式動物用プールに関するもので、産業上の利用性を満足することができる。
【図面の簡単な説明】
【００２９】
【図１】本発明の実施形態に係る動物用プールを示す平面図である。
【図２】図１の開閉手段を示す斜視図である。
【図３】図１のＡ−Ａ断面図である。
【図４】図１の底板を示す斜視図である。
【図５】図１のＢ−Ｂ側面図である。
【図６】本発明の他の実施形態の動物用プールを示す平面図である。
【符号の説明】
【００３０】
１  動物用プール
２  水路槽
２ａ  外側壁
３  流水発生装置
４  入口用スロープ
５  出口用スロープ
６  開閉手段
７  センサ（重量センサ又は光センサ）
８  光センサ
９  遮蔽手段（柵）
１０  底板
【図１】
2007275319.tif 000003
【図２】
2007275319.tif 000004
【図３】
2007275319.tif 000005
【図４】
2007275319.tif 000006
【図５】
2007275319.tif 000007
【図６】
2007275319.tif 000008